(57)【要約】【課題】円形体部を有する第１螺着部材あるいは円形空部を有する第２螺着部材を、容易に螺着方向または螺着解除方向に回動させ、かつ、スペース上の制約が緩和される使用性にすぐれたレンチを提供する。【解決手段】レンチハンドル部２の一端部に第１螺着部材７の円形体部７ｂに外嵌される円形環状の外嵌部３を設け、レンチハンドル部２の他端部に第２螺着部材９の円形空部９ｂに内嵌される円柱状の内嵌部５を設ける。そして、外嵌部３の内周面には、該外嵌部３を円形体部７ｂに外嵌した螺着方向Ｒ１矢印への回動に伴って円形体部７ｂの外周面を緊合してＲ１矢印方向に回動させる一方向第１クラッチ手段８を備え、内嵌部５の外周面には、該内嵌部５を円形空部７ｂに内嵌した螺着方向Ｒ２矢印への回動に伴って円形空部７ｂの内周面を緊合してＲ１矢印方向に回動させる一方向第２クラッチ手段１０を備える。【選択図】図１
2010158741.tif 000002
【特許請求の範囲】
【請求項１】
第１螺着部材の円形体部に外嵌される外嵌部と、第２螺着部材の円形空部に内嵌される内嵌部との少なくともいずれか一方が、レンチハンドル部両端部の少なくとも一方の端部に設けられ、
前記外嵌部内周面には、第１螺着部材の円形体部に外嵌した状態でレンチハンドル部の第１螺着部材螺着方向または螺着解除方向のいずれかへの回動に伴って前記円形体部の外周面に緊合して第１螺着部材を螺着方向または螺着解除方向のいずれかに回動させる一方向第１クラッチ手段を備え、
前記内嵌部外周面には、第２螺着部材の円形空部に内嵌した状態でレンチハンドル部の第２螺着部材螺着方向または螺着解除方向のいずれかへの回動に伴って前記円形空部の内周面に緊合して第２螺着部材を螺着方向または螺着解除方向のいずれかに回動させる一方向第２クラッチ手段を備え、
てなることを特徴とするレンチ。
【請求項２】
前記一方向第１クラッチ手段は、円形環状の外嵌部の内周面に開口した少なくとも１つの凹部と、前記凹部に転動自在に配置された転動体と、前記凹部の奥部に形成されて前記レンチハンドル部の第１螺着部材螺着方向または螺着解除方向のいずれかへの回動に伴って転動体を円形体部の外周面に押圧緊合させる方向に傾斜した傾斜カム面と、前記凹部に配置されて前記転動体を傾斜カム面と円形体部の外周面に対して押圧緊合させる方向に付勢する弾性部材と、を備えている請求項１に記載のレンチ。
【請求項３】
前記一方向第２クラッチ手段は、円柱状の内嵌部の外周面に開口した少なくとも一つの凹部と、前記凹部に転動自在に配置された転動体と、前記凹部の奥部に形成されて前記レンチハンドル部の第２螺着部材螺着方向または螺着解除方向のいずれかへの回動に伴って転動体を円形空部の内周面に押圧緊合させる方向に傾斜した傾斜カム面と、前記凹部に配置されて転動体を傾斜カム面と円形空部の内周面に対して押圧緊合させる方向に付勢する弾性部材と、を備えている請求項１に記載のレンチ。
【請求項４】
レンチハンドル部の端部に、螺着部材の螺着方向または螺着解除方向が逆方向の左右一対の外嵌部又は内嵌部の少なくともいずれか一方が配置されている請求項１に記載のレンチ。
【請求項５】
頭部を構成する円形体部と、この円形体部から延設して外周面にネジが形成された円柱状のネジ部とからなる請求項１に記載のレンチ用の螺着部材。
【請求項６】
円形ナット又は筒体の外周面又は内周面の何れか一方にねじが形成された請求項１に記載のレンチ用の螺着部材。
【発明の詳細な説明】
【技術分野】
【０００１】
本発明はレンチ及びレンチ用螺着部材に係り、例えば、ボルト状の螺着部材の円形体部に外嵌して螺着部材を螺着方向または螺着解除方向に回動させることができ、さらに、リング体や筒体からなる螺着部材に外嵌又は内嵌して螺着部材を螺着方向または螺着解除方向に回動させることができるレンチ及びレンチ用螺着部材に関するものである。
【背景技術】
【０００２】
従来、ボルトやナットなどの螺着部材を螺着方向または螺着解除方向に回動させる工具として使用されるレンチとしては、開放されたレンチヘッド部を有するオープンエンドレンチや、環状のレンチヘッド部を有するめがねレンチあるいはボックスレンチなどが周知である。
【先行技術文献】
【特許文献】
【０００３】
【特許文献１】実公平０６−１８７８５号公報
【特許文献２】実公平０６−３７８９４号公報
【発明の概要】
【発明が解決しようとする課題】
【０００４】
前記従来より周知のレンチは、その使用対象が多角形頭部（主として六角形頭部）を有するボルトや多角ナット（主として六角ナット）などの螺着部材であった。即ち、ボルトの頭部やナットはレンチで回動できるように通常は六角形状をしているが、用途によってはボルトの頭部が円形体のものやナットが肉厚のリング体形状の円形ナットが好都合な場合がある。しかし、従来のレンチではこのような新規なボルトやナットなどの螺着部材に外嵌して、これらを螺着方向または螺着解除方向に回動させることはできない。また、円筒の外表面にねじを形成したねじスリーブの円形空部に内嵌したり、これを螺着方向または螺着解除方向に回動させるレンチは存在していない現状である。
【０００５】
ところで、円形頭部を有するボルトや円形ナットなどの螺着部材を螺着方向または螺着解除方向に回動させる作業は、パイプレンチなどの特殊レンチを使用して行うことができる。しかし、この種の特殊レンチは、使用対象である螺着部材が主としてパイプであるため螺着方向または螺着解除方向に大きいトルクで回動させることが要求される。そのため、螺着部材掴持ジョーおよび棒状レンチハンドルなどを厚肉に形成した高強度に構成されているから大型で重量も重くなる。したがって、使用性に劣るばかりか狭隘な位置に配置されている円形頭部を有するボルトや円形ナットなどの螺着部材あるいは短い相対距離で配列されている円形頭部を有するボルトや円形ナットなどの複数の螺着部材を個々に螺着方向または螺着解除方向に回動させることはスペース上の制約によって実行できない。しかも、円筒の表面にねじを形成した外ねじスリーブなどの螺着部材を螺着方向または螺着解除方向に回動させることは不可能である。
【０００６】
本発明は、このような事情に鑑みてなされたものであって、その目的とするところは、円形頭部（円形体部）を有するボルトや円形ナット（円形体部）などの第１螺着部材あるいは円形空部を有する外ねじスリーブなどの第２螺着部材を、容易に螺着方向または螺着解除方向に回動させることができるとともに、スペース上の制約が緩和される使用性にすぐれたレンチ及びこれらのレンチ用螺着部材を提供することにある。
【課題を解決するための手段】
【０００７】
前記目的を達成するために、本発明に係るレンチは、第１螺着部材の円形体部に外嵌される外嵌部と、第２螺着部材の円形空部に内嵌される内嵌部との少なくともいずれか一方が、レンチハンドル部両端部の少なくとも一方の端部に設けられ、前記外嵌部内周面には、第１螺着部材の円形体部に外嵌した状態でレンチハンドル部の第１螺着部材螺着方向または螺着解除方向のいずれかへの回動に伴って前記円形体部の外周面に緊合して第１螺着部材を螺着方向または螺着解除方向のいずれかに回動させる一方向第１クラッチ手段を備え、前記内嵌部外周面には、第２螺着部材の円形空部に内嵌した状態でレンチハンドル部の第２螺着部材螺着方向または螺着解除方向のいずれかへの回動に伴って前記円形空部の内周面に緊合して第２螺着部材を螺着方向または螺着解除方向のいずれかに回動させる一方向第２クラッチ手段を備え、てなることを特徴としている。
【０００８】
これによれば、レンチハンドル部の外嵌部を第１螺着部材の円形体部に外嵌して、レンチハンドル部を第１螺着部材の螺着方向または螺着解除方向のいずれかに回動すれば、外嵌部の内周面に備わっている一方向第１クラッチ手段のクラッチ作用によって円形体部の外周面が緊合されるので、レンチハンドル部の回動方向に追従して第１螺着部材を螺着方向または螺着解除方向のいずれかに容易に回動させて、第１螺着部材を締結あるいは締結解除することができる。また、レンチハンドル部を第１螺着部材の螺着方向に回動している途中で反螺着方向に回動させると一方向第１クラッチ手段が空転するので、ラチェットレンチとしての機能を発揮して締結作業を促進することができるとともに、レンチハンドル部を第１螺着部材の螺着解除方向に回動している途中で反螺着解除方向に回動させると一方向第１クラッチ手段が空転するので、ラチェットレンチとしての機能を発揮して締結解除作業を促進することができる。さらに、第１螺着部材の円形体部個々の大きさ（外径）に対応して設定される外嵌部の内径と該外嵌部の外径との差を必要最小限に抑えることで、外嵌部のボリュームが小さくなるので、第１螺着部材が狭隘な位置に配置されていたり短い相対距離で配列されていても、スペース上の制約を受けることなく螺着方向または螺着解除方向に回動させることが可能になり、使用性が向上する。
【０００９】
また、レンチハンドル部の内嵌部を第２螺着部材の円形空部に内嵌して、レンチハンドル部を第２螺着部材の螺着方向または螺着解除方向のいずれかに回動すれば、内嵌部の外周面に備わっている一方向第２クラッチ手段のクラッチ作用によって円形空部の内周面が緊合されるので、レンチハンドル部の回動方向に追従して第２螺着部材を螺着方向または螺着解除方向のいずれかに容易に回動させて、第２螺着部材を締結あるいは締結解除することができる。また、レンチハンドル部を第２螺着部材の螺着方向に回動している途中で反螺着方向に回動させると一方向第２クラッチ手段が空転するので、ラチェットレンチとしての機能を発揮して締結作業を促進することができるとともに、レンチハンドル部を第２螺着部材の螺着解除方向に回動している途中で反螺着解除方向に回動させると一方向第２クラッチ手段が空転するので、ラチェットレンチとしての機能を発揮して締結解除作業を促進することができる。さらに、第２螺着部材の円形空部個々の大きさ（内径）に対応して内嵌部の大きさ（外径）が設定されることで、内嵌部のボリュームが小さくなるので、第２螺着部材が狭隘な位置に配置されていたり短い相対距離で配列されていても、スペース上の制約を受けることなく螺着方向または螺着解除方向に回動させることが可能になり、使用性が向上する。
【００１０】
前記一方向第１クラッチ手段は、円形環状の外嵌部の内周面に開口した少なくとも１つの凹部と、前記凹部に転動自在に配置された転動体と、前記凹部の奥部に形成されて前記レンチハンドル部の第１螺着部材螺着方向または螺着解除方向のいずれかへの回動に伴って転動体を円形体部の外周面に押圧緊合させる方向に傾斜した傾斜カム面と、前記凹部に配置されて前記転動体を傾斜カム面と円形体部の外周面に対して押圧緊合させる方向に付勢する弾性部材と、を備えたものである。
【００１１】
これによると、レンチハンドル部の第１螺着部材螺着方向または螺着解除方向のいずれかへの回動に伴って、各傾斜カム面にカム作用が生じて各転動体を第１螺着部材の円形体部の外周面に押圧緊合させることができるので、第１螺着部材を螺着方向または螺着解除方向のいずれかに容易かつ確実に回動させることができる。また、円形環状の外嵌部を第１螺着部材の螺着方向に回動している途中で反螺着方向に回動させると、各傾斜カム面のカム作用が解除されるので、螺着方向への回動および反対螺着方向への回動を小さい回転角で反復することが可能になって、第１螺着部材の締結作業を促進することができるとともに、円形環状の外嵌部を第１螺着部材の螺着解除方向に回動している途中で反螺着解除方向に回動させると、各傾斜カム面のカム作用が解除されるので、螺着解除方向への回動および反螺着解除方向への回動を小さい回転角で反復することが可能になって、第１螺着部材の締結解除作業を促進することができる。さらに、部品点数を削減した簡単な構造によって一方向第１クラッチ手段を構成できることにより、一方向第１クラッチ手段を備えたレンチの生産性が向上する。
【００１２】
前記一方向第２クラッチ手段は、円柱状の内嵌部の外周面に開口した少なくとも一つの凹部と、前記凹部に転動自在に配置された転動体と、前記凹部の奥部に形成されて前記レンチハンドル部の第２螺着部材螺着方向または螺着解除方向のいずれかへの回動に伴って転動体を円形空部の内周面に押圧緊合させる方向に傾斜した傾斜カム面と、前記凹部に配置されて転動体を傾斜カム面と円形空部の内周面に対して押圧緊合させる方向に付勢する弾性部材と、を備えたものである。
【００１３】
これによると、円柱状の内嵌部の第２螺着部材螺着方向または螺着解除方向のいずれかへの回動に伴って、各傾斜カム面にカム作用が生じて各転動体を円形空部の内周面に押圧緊合させることができるので、第２螺着部材を螺着方向または螺着解除方向のいずれかに容易かつ確実に回動させることができる。また、円柱状の内嵌部を第２螺着部材の螺着方向に回動している途中で反螺着方向に回動させると、各傾斜カム面のカム作用が解除されるので、螺着方向への回動および反対螺着方向への回動を小さい回転角で反復することが可能になって、第２螺着部材の締結作業を促進することができるとともに、円柱状の内嵌部を第２螺着部材の螺着解除方向に回動している途中で反螺着解除方向に回動させると、各傾斜カム面のカム作用が解除されるので、螺着解除方向への回動および反螺着解除方向への回動を小さい回転角で反復することが可能になって、第２螺着部材の締結解除作業を促進することができる。さらに、部品点数を削減した簡単な構造によって一方向第２クラッチ手段を構成できることにより、一方向第１クラッチ手段を備えたレンチの生産性が向上する。
さらに、本発明に係るレンチは、レンチハンドル部の端部に、螺着部材の螺着方向または螺着解除方向が逆方向の左右一対の外嵌部又は内嵌部の少なくともいずれか一方が配置されている。これによると、左右の外嵌部の一方を螺着用に、他方を反螺着用に用いることができる。左右の内嵌部も同様である。
【発明の効果】
【００１４】
本発明に係るレンチによれば、円形頭部（円形体部）を有するボルトや円形ナット（円形体部）などの第１螺着部材あるいは円形空部を有する外ねじスリーブなどの第２螺着部材を、容易に螺着方向または螺着解除方向に回動させることができるとともに、ラチェットレンチとしての機能を発揮して第１螺着部材および第２螺着部材の締結作業または締結解除作業を促進することができるばかりか、スペース上の制約が緩和されるので使用性が向上する。
【図面の簡単な説明】
【００１５】
【図１】棒状レンチハンドル部の一部を省略して示す第１実施形態の全体斜視図である。
【図２】図１の矢印Ａ方向から第１レンチヘッド部の円形環状の外嵌部を見た拡大図である。
【図３】第１螺着部材締結時における円形環状の外嵌部と円形体部との関係の一部を拡大して示す断面図である。
【図４】図１の矢印Ｂ方向から第２レンチヘッド部の円柱状の内嵌部を見た拡大図である。
【図５】第２螺着部材締結時における円柱状の内嵌部と円形空部との関係の一部を拡大して示す断面図である。
【図６】第１螺着部材締結解除時における円形環状の外嵌部と円形体部との関係の一部を拡大して示す断面図である。
【図７】第２螺着部材締結解除時における円柱状の内嵌部と円形空部との関係の一部を拡大して示す断面図である。
【図８】棒状レンチハンドル部の一部を省略して示す第３実施形態の全体斜視図である。
【発明を実施するための形態】
【００１６】
以下、本発明に係るレンチの好ましい実施形態を図面に基づいて説明する。
図１〜図５は、本発明の第１実施形態を示すもので、図１は、棒状のレンチハンドル部の一部を省略して示すレンチ及びレンチ用螺着部材の全体斜視図、図２は、図１の矢印Ａ方向から第１レンチヘッド部の円形環状の外嵌部を見た拡大図、図３は、第１螺着部材締合時における円形環状の外嵌部と第１螺着部材の円形体部との関係の一部を拡大して示す断面図、図４は、図１の矢印Ｂ方向から第２レンチヘッド部の円柱状の内嵌部を見た拡大図、図５は、第２螺着部材締合時における円柱状の内嵌部と第２螺着部材の円形空部との関係の一部を拡大して示す断面図である。
【００１７】
図１〜図３において、レンチ１は高炭素鋼製または可鍛鋳鉄製のもので、棒状レンチハンドル部２一端部の第１レンチヘッド部４に円形環状の外嵌部３が設けられ、棒状レンチハンドル部２他端部の第２レンチヘッド部６には短寸円柱状の内嵌部５が設けられている。前記円形環状の外嵌部３の内周面には、図示していない被螺着部材を締結するための右ねじ部７ａと円形頭部７ｂ（以下の説明では、円形体部７ｂという）とを有するボルトからなる第１螺着部材７を螺着方向（矢印Ｒ１）に回動させる一方向第１クラッチ手段８を備えている。また、図１，図４および図５に示すように、短寸円柱状の内嵌部５の外周面には、図示していない被螺着部材にねじ込むための右ねじ部９ａと円形空部９ｂとを有する外ねじスリーブからなる第２螺着部材９を螺着方向（矢印Ｒ２）に回動させる一方向第２クラッチ手段１０を備えている。
【００１８】
図１〜図３において、一方向第１クラッチ手段８は、円形環状の外嵌部３の内周面に開口し、かつ、円周方向等間隔に分離して設けた三つの凹部８ａと、各凹部８ａのそれぞれに転動自在に配置されたころからなる転動体８ｂと、各凹部８ａの奥部に形成された円周方向にのびる傾斜カム面８ｃと、スプリングからなる弾性部材８ｄとを備えている。なお、この実施の形態では、第１クラッチ手段８は円形環状の外嵌部３の円周方向に３箇所配置されているが、少なくとも１箇所設ければよい。
凹部８ａは、円形環状の外嵌部３の内周面部の幅方向（外嵌部３の両方の開口を最短で結ぶ方向）に溝状に形成されている。図３に示ように、溝状の凹部８ａは断面は略台形状であって、溝の深さは、凹部８ａの第１螺着部材７の螺着方向（矢印Ｒ１）の前端側が深く、後端側が浅く形成されている。前端側の溝の深さ寸法は転動体８ｂの直径よりも大きく、後端側が転動体８ｂの直径よりも小さい。従って、転動体８ｂは溝の前端側では凹部８ａ内に完全に収まり、後端側では外嵌部３の内周面から僅かながら突出する。
傾斜カム面８ｃは、凹部８ａの底面に相当し、レンチハンドル部２を第１螺着部材７の螺着方向（矢印Ｒ１）へ回動するのに伴って、各転動体８ｂを円形体部７ｂの外周面に押圧緊合させる方向に傾斜している。つまり、傾斜カム面８ｃは、第１螺着部材７の螺着方向（矢印Ｒ１）の矢印前端から矢印後端にかけて後下がりに傾斜している。そして、各弾性部材８ｄは各転動体８ｂを前記螺着方向（矢印Ｒ１）の反対方向に向けて付勢する。
転動体８ｂは、溝の長さとほぼ同じ長さの円柱状の棒体で、両端に円形環状の外嵌部３に揺動可能に軸支する軸部を備えている。この転動体８ｂは第１螺着部材７の螺着方向（矢印Ｒ１）と螺着解除方向（矢印Ｒ１´）との間を揺動可能であるが、常時は、弾性部材８ｄにより螺着解除方向（矢印Ｒ１´）に付勢されている。
弾性部材８ｄはコイルバネを使用している。この弾性部材８ｄは前記転動体８ｂの両端部に配置され、転動体８ｂを均等に螺着解除方向（矢印Ｒ１´）に付勢する。この弾性部材８ｄはコイルバネを使用しているが板バネや竹の子バネ等他の種類のバネを用いてもよい。また転動体８ｂを押方向に付勢するものに限らず、引く方向に付勢するものであってもよい。
第１螺着部材７は、頭部を構成する円形体部７ｂと、この円形体部７ｂから延設して外周面にねじが形成された円柱状の右ねじ部７ａとから構成されているボルト状の形態である。円形体部７ｂは図示するように円形体のものに限られるが、ねじ部７ａは円錐形であってもよい。また、第１螺着部材７は肉厚のリング体で内周面にねじが形成された円形ナットであってもよい。
【００１９】
図１，図４，図５において、一方向第２クラッチ手段１０は、円柱状の内嵌部５の外周面に開口し、かつ、円周方向等間隔に分離して設けた三つの凹部１０ａと、各凹部１０ａのそれぞれに転動自在に配置されたころからなる転動体１０ｂと、各凹部１０ａの奥部に形成されて円周方向にのびる傾斜カム面１０ｃと、スプリングからなる弾性部材１０ｄとを備えている。なお、この実施の形態では、第２クラッチ手段１０は円柱状の内嵌部５の外周面に３箇所配置されているが、少なくとも１箇所設ければよい。
凹部１０ａは、円柱状の内嵌部５の外周面部の幅方向（内嵌部５の両端縁を最短で結ぶ方向）に溝状に形成されている。図５に示ように、溝状の凹部１０ａの溝の深さは、凹部１０ａの第２螺着部材９の螺着方向（矢印Ｒ２）の前端側に行くに従ってが深く、後端側に行くに従って浅く形成されている。前端側の溝の深さ寸法は転動体１０ｂの直径よりも大きく、後端側が転動体１０ｂの直径よりも小さい。従って、転動体１０ｂは溝の前端側では凹部１０ａ内に完全に収まり、後端側では内嵌部５の外周面から僅かに突出する。
傾斜カム面１０ｃは、凹部１０ａの底面に相当し、レンチハンドル部２を第２螺着部材９の螺着方向（矢印Ｒ２）へ回動するのに伴って、各転動体１０ｂを円形空部９ｂの内周面に押圧緊合させる方向に傾斜している。つまり、傾斜カム面１０ｃは、第２螺着部材９の螺着方向（矢印Ｒ２）の矢印前端から矢印後端にかけて後下がりに傾斜している。そして、各弾性部材１０ｄは各転動体１０ｂを前記螺着方向（矢印Ｒ２）の反対方向に向けて付勢する。
転動体１０ｂは、凹部１０ａの溝の長さとほぼ同じ長さの円柱状の棒体で、両端に円柱状の内嵌部５に揺動可能に軸支する軸部を備えている。この転動体１０ｂは第２螺着部材９の螺着方向（矢印Ｒ２）と螺着解除方向（矢印Ｒ２´）との間を揺動可能であるが、常時は、弾性部材１０ｄにより螺着解除方向（矢印Ｒ２´）に付勢されている。
弾性部材１０ｄは、前記第１レンチヘッド部の弾性部材８ｄと同様にコイルバネを使用している。この弾性部材１０ｄも前記転動体１０ｂの両端部に配置され、転動体１０ｂを均等に螺着解除方向（矢印Ｒ２´）に付勢する。この弾性部材１０ｄはコイルバネを使用しているが板バネや竹の子バネ等他の種類のバネを用いてもよい。また転動体１０ｂを押す方向に付勢するものに限らず、引く方向に付勢するものであってもよい。
第２螺着部材９は、肉厚のリング体の外周面にねじが形成されたもの又は図１に示すように筒体の外周面に右ねじ部９ａと円形空部９ｂとを有する外ねじスリーブであってもよい。また、前記ボルト状の第１螺着部材７の円形体部７ｂの端部に内嵌部５が嵌り込む円形凹部を形成したものであってもよい。
【００２０】
このように構成した第１実施形態のレンチ１によれば、円形環状の外嵌部３を第１螺着部材７の円形体部７ｂに外嵌して、レンチハンドル部２を第１螺着部材７の螺着方向（矢印Ｒ１）に回動すれば、円形環状の外嵌部３の内周面に備わっている一方向第１クラッチ手段８のクラッチ作用によって円形体部７ｂの外周面が緊合されるので、レンチハンドル部２の回動方向に追従して第１螺着部材７を螺着方向に容易に回動させて、図示していない被螺着部材を締結することができる。また、レンチハンドル部２を第１螺着部材７の螺着方向（矢印Ｒ１）に回動している途中で反螺着方向（図３の矢印Ｒ１´）に回動させると一方向第１クラッチ手段８が空転するので、ラチェットレンチとしての機能を発揮して締結作業を促進することができるとともに、第１螺着部材７の円形体部７ａ個々の大きさ（外径）に対応して設定される円形環状の外嵌部３の内径と該円形環状の外嵌部３の外径との差を必要最小限に抑えることで、円形環状の外嵌部３のボリュームが小さくなるので、第１螺着部材７が狭隘な位置に配置されていたり短い相対距離で配列されていても、スペース上の制約を受けることなく螺着方向（矢印Ｒ１）に回動させることが可能になり、使用性が向上する。
【００２１】
他方、円柱状の内嵌部５を第２螺着部材９の円形空部９ｂに内嵌して、レンチハンドル部２を第２螺着部材９の螺着方向（矢印Ｒ２）に回動すれば、円柱状の内嵌部５の外周面に備わっている一方向第２クラッチ手段１０のクラッチ作用によって円形空部９ｂの内周面が緊合されるので、レンチハンドル部２の回動方向に追従して第２螺着部材９を螺着方向に容易に回動させて、第２螺着部材９を図示していない被螺着部材にねじ込むことができる。また、レンチハンドル部２を第２螺着部材９の螺着方向（矢印Ｒ１）に回動している途中で反螺着方向（図５の矢印Ｒ２´）に回動させると一方向第２クラッチ手段１０が空転するので、ラチェットレンチとしての機能を発揮して締結作業を促進することができるとともに、第２螺着部材９の円形空部９ｂ個々の大きさ（内径）に対応して円柱状の内嵌部５の大きさ（外径）が設定されることで、円柱状の内嵌部５のボリュームが小さくなるので、第２螺着部材が狭隘な位置に配置されていたり短い相対距離で配列されていても、スペース上の制約を受けることなく螺着方向（矢印Ｒ２）に回動させることが可能になり、使用性が向上する。
【００２２】
図６、図７は、本発明の第２実施形態を示すもので、図６は、第１螺着部材締結解除時における円形環状の外嵌部と円形体部との関係の一部を拡大して示す断面図、図７は、第２螺着部材締結解除時における円柱状の内嵌部と円形空部との関係の一部を拡大して示す断面図である。図６、図７に示す第２実施形態において、図１〜図５で説明した第１実施形態と同一部分には同一符号を付して重複する構造説明は省略する。
【００２３】
図６では、図示していない被螺着部材を締結している右ねじ部７ａと円形体部７ｂとを有するボルトからなる第１螺着部材７を螺着解除方向（矢印Ｒ３）に回動させる一方向第１クラッチ手段８が示されており、図７では、図示していない被螺着部材にねじ込まれている右ねじ部９ａと円形空部９ｂとを有する外ねじスリーブからなる第２螺着部材９を螺着解除方向（矢印Ｒ４）に回動させる一方向第２クラッチ手段１０が示されている。
【００２４】
図１〜図５で説明した第１実施形態と図６、図７に示す第２実施形態との構造上の相違点は、一方向第１クラッチ手段８における傾斜カム面８ｃの傾斜方向および転動体８ｂと弾性部材８ｄの配置方向が互いに反対方向に設定されているとともに、一方向第２クラッチ手段１０における傾斜カム面１０ｃの傾斜方向および転動体１０ｂと弾性部材１０ｄの配置方向が互いに反対方向に設定されていることである。
【００２５】
図６に示す第２実施形態のレンチ１によれば、円形環状の外嵌部３を第１螺着部材７の円形体部７ｂに外嵌して、レンチハンドル部２を第１螺着部材７の螺着解除方向（矢印Ｒ３）に回動すれば、円形環状の外嵌部３の内周面に備わっている一方向第１クラッチ手段８のクラッチ作用によって円形体部７ｂの外周面が緊合されるので、レンチハンドル部２の回動方向に追従して第１螺着部材７を螺着解除方向に容易に回動させて、図示していない被螺着部材の締結を解除することができる。また、レンチハンドル部２を第１螺着部材７の螺着解除方向（矢印Ｒ３）に回動している途中で反螺着解除方向（図８の矢印Ｒ３´）に回動させると一方向第１クラッチ手段８が空転するので、ラチェットレンチとしての機能を発揮して締結解除作業を促進することができるとともに、第１螺着部材７の円形体部７ａ個々の大きさ（外径）に対応して設定される円形環状の外嵌部３の内径と該円形環状の外嵌部３の外径との差を必要最小限に抑えることで、円形環状の外嵌部３のボリュームが小さくなるので、第１螺着部材７が狭隘な位置に配置されていたり短い相対距離で配列されていても、スペース上の制約を受けることなく螺着解除方向（矢印Ｒ３）に回動させることが可能になり、使用性が向上する。
【００２６】
他方、円柱状の内嵌部５を第２螺着部材９の円形空部９ｂに内嵌して、レンチハンドル部２を第２螺着部材９の螺着解除方向（矢印Ｒ４）に回動すれば、円柱状の内嵌部５の外周面に備わっている一方向第２クラッチ手段１０のクラッチ作用によって円形空部９ｂの内周面が緊合されるので、レンチハンドル部２の回動方向に追従して第２螺着部材９を螺着解除方向に容易に回動させて、第２螺着部材９による図示していない被螺着部材の締結を解除することができる。また、レンチハンドル部２を第２螺着部材９の螺着解除方向（矢印Ｒ４）に回動している途中で反螺着解除方向（図１０の矢印Ｒ４´）に回動させると一方向第２クラッチ手段１０が空転するので、ラチェットレンチとしての機能を発揮して締結作業を促進することができるとともに、第２螺着部材９の円形空部９ｂ個々の大きさ（内径）に対応して円柱状の内嵌部５の大きさ（外径）が設定されることで、円柱状の内嵌部５のボリュームが小さくなるので、第２螺着部材が狭隘な位置に配置されていたり短い相対距離で配列されていても、スペース上の制約を受けることなく螺着解除方向（矢印Ｒ４）に回動させることが可能になり、使用性が向上する。
【００２７】
なお、前記第１実施形態のレンチ１によれば、円形環状の外嵌部３を第１螺着部材７の円形体部７ｂに外嵌して、第１螺着部材７を螺着方向（矢印Ｒ１）に回動させ、円柱状の内嵌部５を第２螺着部材９の円形空部９ｂに内嵌して、第２螺着部材９を螺着方向（矢印Ｒ２）に回動させる構成で説明しているが、図示例のように、円形環状の外嵌部３が貫通している構成であれば、円形体部７ｂに対する円形環状の外嵌部３の向きを反転させて円形体部７ｂに外嵌することによって、第２実施形態で説明したレンチ１と同様に、第１螺着部材７を螺着解除方向（矢印Ｒ３）に回動させることができる。また、前記第２実施形態の円形環状の外嵌部３が図示例のように貫通している構成であれば、円形体部７ｂに対する円形環状の外嵌部３の向きを反転させて円形体部７ｂに外嵌することによって、第１実施形態で説明したレンチ１と同様に、第１螺着部材７を螺着方向（矢印Ｒ１）に回動させることができる。
【００２８】
また、前記第１実施形態では、レンチハンドル部２の一端部に第１螺着部材７締結用の円形環状の外嵌部３を設け、レンチハンドル部２の他端部に第２螺着部材９締結用の内嵌部５を設け、第２実施形態では、レンチハンドル部２の一端部に第１螺着部材７締結解除用の円形環状の外嵌部３を設け、レンチハンドル部２の他端部に第２螺着部材９締結解除用の内嵌部５を設けた構成で説明しているが、レンチハンドル部２の一端部にのみ第１螺着部材７の締結用または締結解除用の円形環状の外嵌部３を設けた構成のレンチ１であっても、あるいは、レンチハンドル部２の一端部にのみ第２螺着部材７の締結用または締結解除用の内嵌部５を設けた構成のレンチ１であってもよい。
【００２９】
さらに、レンチハンドル部２の一端部に第１螺着部材７緊合用の円形環状の外嵌部３を設け、レンチハンドル部２の他端部に第１螺着部材７緊合解除用の円形環状の外嵌部３を設けた構成、あるいは、レンチハンドル部２の一端部に第２螺着部材７緊合用の円形環状の内嵌部５を設け、レンチハンドル部２の他端部に第２螺着部材７緊合解除用の内嵌部５を設けた構成であってもよい。さらに、レンチハンドル部２の一端部と他端部にサイズの異なる外嵌部３を設けたものであってもよい。また、一端部と他端部にサイズの異なる内嵌部５を設けてもよい。
【００３０】
図８は本発明の第３の実施の形態を示す斜視図である。この第３の実施の形態では前記第１、第２の実施の形態と同一部材については、図面の符号を同じくして詳細は省略する。この第３の実施の形態では、レンチハンドル部２の端部を中心にして左右に円形環状の外嵌部３、３’と円筒状の内嵌部５、５’とが配置されている。左右一対の外嵌部３、３’には、凹部８ａ、８ａ’内にそれぞれ逆傾斜の傾斜カム面８ｃ、８ｃ’が形成され、２本の独立の転動体８ｂ、８ｂ’が傾斜カム面８ｃ、８ｃ’に沿って揺動自在に配置されている。さらに、左右一対の内嵌部５、５’には、凹部１０ａ、１０ａ’内にそれぞれ逆傾斜の傾斜カム面１０ｃ、１０ｃ’が形成され、２本の独立の転動体１０ｂ、１０ｂ’が傾斜カム面１０ｃ、１０ｃ’に沿って揺動自在に配置されている。
【００３１】
この第３の実施の形態では、レンチハンドル部２を中心にして左右に円形環状の外嵌部３、３’と円筒状の内嵌部５、５’とが配置されていることにより、左右の外嵌部３、３’と内嵌部５、５’とにより左右の一方を螺着用に、他方を反螺着用に用いることができる。
【００３２】
なお、上記の実施の形態３では、レンチハンドル部２の一端部に外嵌部３、３’を他端部に内嵌部５、５’を設けたが、レンチハンドル部２の一端部に外嵌部３、３’だけ、又は内嵌部５、５’だけを設け、他端部には何も設けないものであってもよい。また、レンチハンドル部２の両端部に同種でサイズの異なる外嵌部３、３’又は内嵌部５、５’を設けてもよい。さらに、外嵌部３、３’、又は内嵌部５、５’と、実施の形態１又は２との組み合わせであってもよい。
【産業上の利用可能性】
【００３３】
本発明にかかるレンチ及びレンチ用螺着部材は、工具としての新規なレンチや新規なボルトやナットの螺着部材を提供することができて産業上有用である。
【符号の説明】
【００３４】
１  レンチ
２  レンチハンドル部
３  円形環状の外嵌部
４  第１レンチヘッド部
５  円柱状の内嵌部
６  第２レンチヘッド部
７  第１螺着部材
８  一方向第１クラッチ手段
８ａ  凹部
８ｂ  転動体
８ｃ  傾斜カム面
８ｄ  弾性部材
９  第１螺着部材
１０  一方向第２クラッチ手段
１０ａ  凹部
１０ｂ  転動体
１０ｃ  傾斜カム面
１０ｄ  弾性部材
【図１】
2010158741.tif 000003
【図２】
2010158741.tif 000004
【図３】
2010158741.tif 000005
【図４】
2010158741.tif 000006
【図５】
2010158741.tif 000007
【図６】
2010158741.tif 000008
【図７】
2010158741.tif 000009
【図８】
2010158741.tif 000010